(57)【要約】      （修正有）【課題】生ゴミを短時間で、分解、処理することができる生ゴミ処理装置を提供する。【解決手段】生ゴミを投入する投入口２ａと、前記投入された生ゴミを破砕する破砕機４と、前記破砕機４の下方に設けられ、活性水素と生ゴミが反応する反応室５と、前記反応室５の内部に設けられた、破砕された生ゴミを攪拌し、活性酸素と接触させる攪拌機６と、前記反応室５内の生ゴミの温度を１２０℃〜１４０℃に加熱するためのヒータ７，８，９と、前記活性水素と生ゴミとの反応によって生じた水とガスとを分離する気水分離機１３と、前記気水分離機１３によって分離された水が排出される排出口２ｂと、前記気水分離機１３によって分離された気体を導入し、微生物培養によって悪臭を除去する悪臭除去機１４と、前記悪臭除去機１４によって悪臭が除去されたガスを排出するガス排出口２ｃを備えている。【選択図】図１
0003132816.tif 000002
【実用新案登録請求の範囲】
【請求項１】
活性水素（原子水素（Ｈ-）によって生ゴミを分解処理する生ゴミ処理装置において、
生ゴミを投入する投入口と、前記投入された生ゴミを破砕する破砕機と、前記破砕機の下方に設けられ、活性水素と生ゴミが反応する反応室と、前記反応室の内部に設けられた、破砕された生ゴミを攪拌し、前記活性酸素と接触させる攪拌機と、前記反応室内の生ゴミの温度を１２０℃〜１４０℃に加熱するためのヒータと、前記活性水素と生ゴミとの反応によって生じた水とガスとを分離する気水分離機と、前記気水分離機によって分離された水が排出される排出口と、前記気水分離機によって分離された気体が導入され、微生物によって悪臭を除去する悪臭除去機と、前記悪臭除去機によって悪臭が除去されたガスを排出するガス排出口を備えていることを特徴とする生ゴミ処理装置。
【請求項２】
前記破砕機が減速機を介してモータによって回転駆動されると共に、前記破砕機の回転駆動によって、前記攪拌機を回転駆動するように構成されていることを特徴とする請求項１記載の生ゴミ処理装置。
【請求項３】
前記悪臭除去機の内部には攪拌ファンが設けれ、攪拌ファンで内部のガスを攪拌すると共に、前記悪臭除去機の外部にはファンが設けられ、悪臭除去機の内部とファンの間を循環させるように構成されていることを特徴とする請求項１または請求項２記載の生ゴミ処理装置
【請求項４】
前記活性水素（原子水素（Ｈ-）は反応室内に活性水素水を導入することにより生成されることを特徴とする請求項１乃至請求子３のいずれかに記載の生ゴミ処理装置。
【考案の詳細な説明】
【技術分野】
【０００１】
本考案は、家庭や飲食店或は公共施設等から出る生ゴミ処理装置に関し、特に、活性水素（原子水素（Ｈ-）を用いて生ゴミを分解処理するのに適した生ゴミ処理装置に関する。
【背景技術】
【０００２】
一般家庭、飲食店、公共施設等から出る生ゴミは、従来は回収業者が回収して地中に埋立て処理し、あるいはゴミ焼却場で焼却処理を行なっていた。
しかしながら、ゴミを埋め立てる場合、その用地を確保するのが困難であり、環境汚染の問題も生じる虞がある。また、焼却による場合には、不完全燃焼によるダイオキシン、フラン等の毒性物質が発生する虞がある。
そのため、近年、特許文献１に示すように生ゴミ処理機で生ゴミを粉砕、脱水、発酵、乾燥処理して、堆肥とすることが提案されている。
【特許文献１】特許第３１１９５６４号公報
【考案の開示】
【考案が解決しようとする課題】
【０００３】
ところで、前記生ゴミ処理機による処理の場合、埋め立てる場所も必要なく、また有害な物質も発生させないところから望ましいものであるが、前記したように酵素によって生ゴミを分解、処理するため、堆肥化に日数がかかり、多量の生ゴミを処理することが困難であった。
【０００４】
本考案は、上記技術的課題を解決するためになされたものであり、活性水素（原子水素（Ｈ-）を用いて生ゴミを分解、処理することで、生ゴミを短時間で処理する生ゴミ処理装置を提供することを目的とする。
【課題を解決するための手段】
【０００５】
上記課題を解決するためにこの考案は、活性水素（原子水素（Ｈ-）によって生ゴミを分解処理する生ゴミ処理装置において、生ゴミを投入する投入口と、前記投入された生ゴミを破砕する破砕機と、前記破砕機の下方に設けられ、活性水素と生ゴミが反応する反応室と、前記反応室の内部に設けられた、破砕された生ゴミを攪拌し、前記活性酸素と接触させる攪拌機と、前記反応室内の生ゴミの温度を１２０℃〜１４０℃に加熱するためのヒータと、前記活性水素と生ゴミとの反応によって生じた水とガスとを分離する気水分離機と、前記気水分離機によって分離された水が排出される排出口と、前記気水分離機によって分離された気体が導入され、微生物によって悪臭を除去する悪臭除去機と、前記悪臭除去機によって悪臭が除去されたガスを排出するガス排出口を備えていることを特徴としている。
【０００６】
このように、活性水素（原子水素（Ｈ-）によって生ゴミを分解処理するようになしているため、生ゴミを短時間で、分解、処理することができる。また、生ゴミを焼却するものでないため、ダイオキシン、フラン等の毒性物質が発生する虞もなく、埋め立てのような広大な土地も必要としない。
【０００７】
ここで、前記破砕機が減速機を介してモータによって回転駆動されると共に、前記破砕機の回転駆動によって、前記攪拌機を回転駆動するように構成されていることが望ましい。
このように、破砕機の回転駆動によって、前記攪拌機を回転駆動するように構成しているため、装置を簡略化することができ、装置を安価に製造することができる。
【０００８】
また、悪臭除去機の内部には攪拌ファンが設けれ、攪拌ファンで内部のガスを攪拌すると共に、前記悪臭除去機の外部にはファンが設けられ、悪臭除去機の内部とファンの間を循環させるように構成されていることが望ましい。
このように構成することにより、悪臭を有するガスの排出を抑制することができる。
【０００９】
また、前記活性水素（原子水素（Ｈ-）は反応室内に活性水素水を導入することにより生成されることが望ましい。これにより容易に活性酸素（原子水素（Ｈ-）を生成することができる。
【考案の効果】
【００１０】
上記の如く構成する本考案によれば、活性水素（原子水素（Ｈ-）を用いて生ゴミを分解、処理することで、生ゴミを短時間で処理する生ゴミ処理装置を得ることができる。
【考案を実施するための最良の形態】
【００１１】
この考案の実施形態を図１に基づいて説明する。尚、図１は本考案に係る生ゴミ処理装置の概略構成図である。
図において符号１は、本考案に係る生ゴミ処理装置を示している。この生ゴミ処理装置１は、生ゴミを投入する投入口２ａが設けられたキャビネット２で覆われている。このキャビネット２には、後述する気水分離機１３からの水を排出する排水口２ｂと、悪臭除去装置１４からガスを排出する排気口２ｃを備えている。
【００１２】
また、前記投入口２ａの下方には、投入された生ゴミを受けるホッパー３が設けられている。このホッパー３は漏斗状に形成され、前記ホッパー３の下方に設けられた破砕機４に導入されるように構成されている。この破砕機４は、減速機１１を介してモータ１０によって回転駆動され、導入された生ゴミを小片に破砕するものである。
また、前記破砕機４の回転軸４ａの一端側にはプーリ４ｂが設けられ、このプーリ４ｂにベルト１２が掛けられ、後に説明する攪拌機６を回転駆動するように構成されている。
【００１３】
また前記破砕機４の下方には、反応室５が設けられている。この反応室５の内部には、破砕された生ゴミＧを攪拌する攪拌機６が設けられている。この攪拌機６は回転軸６ｂの外周面から外方の突出した攪拌翼６ａが設けられている。
前記回転軸６ｂの一端側にはプーリ６ｃが形成され、このプーリ６ｃに前記ベルト１２が掛けられている。その結果、前記破砕機４を回転駆動するモータ１０によって、攪拌機６も回転駆動される。
【００１４】
更に、反応室５の内部には、前記反応室５内の生ゴミの温度を１２０℃〜１４０℃になすためにヒータ７，８、９が設けられている。
前記ヒータ７，８は、反応室５の内部に延設され、またヒータ９は反応室５の底面の外面に設けられている。これらヒータ７，８，９によって、反応室５内部に収容されている生ゴミを均一に、かつ１２０℃〜１４０℃に加熱するようになしている。
【００１５】
また、前記反応室５内には、予め活性水素水が導入され、前記した攪拌機６による攪拌及び前記ヒータ７，８，９による加熱により、破砕された生ゴミＧと前記活性水素（原子水素（Ｈ-））が反応し、生ゴミを分解する。
この分解処理の際に発生する水とガスは、前記ホッパー３に設けられた排出口３ａから蒸気ガスとなって排出される。排出された蒸気ガスは、気水分離機１３に導入される。
尚、図中、符号３ｂはポッパー３の上面を覆う蓋体であって、この蓋体３ｂによってホッパー３、反応室５を密閉する。また符号５ａは冷風導入口であって、冷風を反応室５の上部に導入することにより、前記蒸気ガスの一部が液化される。
【００１６】
この気水分離機１３に導入された蒸気ガスは、気水分離機１３によってガスと水に分離され、前記分離された水は、排出口２ｂが外部に排出される。
一方、分離された気体は悪臭除去機１４に導入される。この悪臭除去装置１４の内部には、微生物を保持する担体（図示せず）が収容され、微生物の培養が図られている。
【００１７】
また悪臭除去機１４の内部には、攪拌ファン１６ｂが設けられ、前記攪拌ファン１６ｂをモータ１６ａで回転させことにより、悪臭除去機１４の内部のガスを攪拌する。また、悪臭除去機１４の外部にはファン１５が設けられ、前記ファン１５と悪臭除去機１４との内部とを循環するように構成されている。
このように、悪臭除去機１４の内部を攪拌、また循環させることにより、微生物を培養している担体内を、ガスを通過させることにより、分解し、悪臭を除去する。そして、悪臭が除去されたガスは、排出口２ｃから外部に排出するように構成されている。
【００１８】
本発明にかかる生ゴミ処理装置の処理について説明する。
投入口２ａから生ゴミを投入し、破砕機４で前記生ゴミを破砕し、反応室５内に投入する。このとき反応室５内に、活性水素水を同時に投入する。この活性水素水は活性水素（原子水素（Ｈ-））を生成する。この活性水素（原子水素（Ｈ-））は反応性が高く、生ゴミＧを構成する化合物と結合あるいは分解する。
【００１９】
しかも、前記反応室５内は、１２０℃〜１４０℃にヒータ７，８，９によって加熱され、しかも攪拌機６で破砕した生ゴミＧを攪拌するため、生ゴミＧは前記活性水素（原子水素（Ｈ-））と反応し、分解される。
その結果、水蒸気を含むガスとなって、ホッパー３の排出口３ａから排出される。このガスには水分を含むため、気水分離機１３によって、水分とガスに分離する。その後、前記ガスの悪臭を分解するため、悪臭除去装置１４に導入され、悪臭が除去された後、外部に排出される。
【００２０】
尚、上記実施形態にあっては活性水素水を生ゴミと同時に投入する場合について説明したが、反応室内に予め投入しておいても良い。また、活性水素を得る方法とした活性水素水を用いたが、他の方法によるものであっても良い。
【図面の簡単な説明】
【００２１】
【図１】本考案に係る生ゴミ処理装置の概略構成図である。
【符号の説明】
【００２２】
１      生ゴミ処理装置
２      キャビネット
３      ホッパー
４      破砕機
５      反応室
６      攪拌機
７      ヒータ
８      ヒータ
９      ヒータ
１３      気水分離機
１４      悪臭除去装置
Ｇ      生ゴミ
【図１】
0003132816.tif 000003